(57)【要約】      （修正有）【課題】第２カードよりも幅狭、かつ長さが長い第１カードがカード挿入口から傾けられて挿入された場合でも、この第１カードを、この第１カードの装着位置を決める第１ストッパ部位置まで円滑に挿入させることができるカード用コネクタ装置の提供。【解決手段】ケース４のハウジング５に、第２カードの装着位置を決める第２ストッパ部１３よりも内側であって、第２ストッパ部１３よりも奥側位置に、カード挿入口６から挿入された第１カード１の前端部の切り欠き部側に位置する段差部の端部の摺接により、この第１カードを、この第１カードの装着位置を決める第１ストッパ部方向へ案内する斜面部１６を有するガイド部１５を設けた構成にしてある。この斜面部は、ハウジング５のカード収容部８内に突出形成され第１カードの段差部を案内するガイド部１５の、カード挿入口６側に位置する端面を成している。【選択図】図４
0003139871.tif 000002
【実用新案登録請求の範囲】
【請求項１】
カードが挿入されるカード挿入口と、このカード挿入口と連通する空間から成り、上記カード挿入口から挿入された上記カードが収容されるカード収容部とを有するケースを備え、
上記カードは、第１カードと、この第１カードよりも幅広で肉薄、かつ長さが短い第２カードとを含み、上記第１カードは、左右の側縁に、前端部から後端部にわたって延設される段差部と、上記前端部の一方の角部が斜めに切り欠かれた切り欠き部とを備え、
上記ケースは、上記第１カードの装着位置を決める第１ストッパ部と、この第１ストッパ部よりも上記カード挿入口側に設けられ、上記第２カードの装着位置を決める第２ストッパ部とを有し、
上記ケースに、上記第２ストッパ部よりも内側であって、上記第２ストッパ部よりも奥側位置に、上記カード挿入口から挿入された上記第１カードの上記切り欠き部側に位置する上記段差部の端部の摺接により、上記第１カードを上記第１ストッパ部方向へ案内する斜面部を設けたことを特徴とするカード用コネクタ装置。
【請求項２】
上記請求項１記載のカード用コネクタ装置において、
上記ケースは、上記カードの挿入方向と直交する方向における上記第２ストッパ部の位置と同じ位置を基端として、上記ケースの上記カード収容部内に突出形成され、上記第１カードの上記切り欠き部側に位置する上記段差部を案内するガイド部を備え、
上記斜面部は、上記ガイド部の上記カード挿入口側に位置する端面を成すことを特徴とするカード用コネクタ装置。
【請求項３】
上記請求項２記載のカード用コネクタ装置において、
上記第１カードの上記切り欠き部側に位置する段差部は、下面が上記ガイド部の上面と摺接する第１部分と、側面が上記ガイド部の側面と摺接する第２部分とから成り、
上記第２ストッパ部の下端と上記ガイド部の上記上面の高さ位置を等しく設定したことを特徴とするカード用コネクタ装置。
【考案の詳細な説明】
【技術分野】
【０００１】
本考案は、各種電子機器に備えられ、第１カードと、この第１カードよりも幅広で肉薄、かつ長さが短い第２カードとが選択的に挿入可能なカード用コネクタ装置に関する。
【背景技術】
【０００２】
従来、特許文献１に、カード型挿抜部材すなわちカードが挿入されるカード挿入口と、このカード挿入口と連通する格納空間すなわちカード収容部とを有するケースを備えたスロット装置、すなわちカード用コネクタ装置が開示されている。このカード用コネクタ装置は、カード挿入口に、カード収容部の奥側に向かって斜めに形成された斜面部を有しており、カードがカード挿入口に挿入された際に、カードの前端部が斜面部に当接することによって、そのカードが斜面部に沿って正規の挿入位置方向へ案内され、これにより、カード収容部へカードを円滑に挿入できるようになっている。
【特許文献１】特開２００６−１９５０５８７公報
【考案の開示】
【考案が解決しようとする課題】
【０００３】
上述した従来技術は、カード収容部に挿入されるカードが単一種類のカードであることを前提とするものであるが、異なる二種類のカードを選択的に挿入可能とするカード用コネクタ装置を考えた場合、すなわち、第１カードと、この第１カードよりも幅広で肉薄、かつ長さが短い第２カードとを選択的に挿入可能とするカード用コネクタ装置を考えた場合には問題がある。
【０００４】
このような場合に、長さの長い第１カードは、長さの短い第２カードよりも奥側に挿入されることになり、また、第１カードを装着位置に位置決めする第１ストッパ部は、第２カードを装着位置に位置決めする第２ストッパ部よりも奥側に設けられることになる。また、第１カードは、第２カードに比べて幅寸法が小さいので、第１カードと第２カードの挿入経路が共通の場合、この第１カードをカード挿入口に挿入した際に、その側縁付近に空隙を生じ、この空隙のために第１カードがカード挿入口に対して傾けられて挿入されることが起こり得る。このように第１カードが傾けられて挿入されたときには、第１カードの前端部がカード収容部内の第２カードに係る第２ストッパ部に係合して、それ以上押し込むことができず、この第１カードを装着位置に装着させることができなくなる懸念がある。
【０００５】
本考案は、上述した従来技術における実状からなされたもので、その目的は、互いに大きさの異なる第１カード、第２カードを選択的に挿入可能であるとともに、第２カードよりも幅狭、かつ長さが長い第１カードがカード挿入口から傾けられて挿入された場合でも、この第１カードを、この第１カードの装着位置を決める第１ストッパ部位置まで円滑に挿入させることができるカード用コネクタ装置を提供することにある。
【課題を解決するための手段】
【０００６】
この目的を達成するために、本考案に係るカード用コネクタ装置は、カードが挿入されるカード挿入口と、このカード挿入口と連通する空間から成り、上記カード挿入口から挿入された上記カードが収容されるカード収容部とを有するケースを備え、上記カードは、第１カードと、この第１カードよりも幅広で肉薄、かつ長さが短い第２カードとを含み、上記第１カードは、左右の側縁に、前端部から後端部にわたって延設される段差部と、上記前端部の一方の角部が斜めに切り欠かれた切り欠き部とを備え、上記ケースは、上記第１カードの装着位置を決める第１ストッパ部と、この第１ストッパ部よりも上記カード挿入口側に設けられ、上記第２カードの装着位置を決める第２ストッパ部とを有し、上記ケースに、上記第２ストッパ部よりも内側であって、上記第２ストッパ部よりも奥側位置に、上記カード挿入口から挿入された上記第１カードの上記切り欠き部側に位置する上記段差部の端部の摺接により、上記第１カードを上記第１ストッパ部方向へ案内する斜面部を設けたことを特徴としている。
【０００７】
このように構成した本考案は、第１カードをケースのカード挿入口から挿入させたとき、この第１カードが傾けられて挿入された場合には、第１カードの切り欠き部側に位置する段差部の端部が、第２カードに係る第２ストッパ部に係合する前に、第２ストッパ部よりも内側に設けられた斜面部に当接し、この当接によって第１カードは斜面部に沿うように移動しながら傾きを矯正され、これにより第１カードを第２カードに係る第２ストッパ部に係合することなく、第１ストッパ部まで円滑に挿入させることができる。したがって、カード挿入口から挿入した第１カードを、傾けられて挿入された場合でも装着位置に装着させて、この第１カードに対する信号の送受信を実現させることができる。
【０００８】
また、本考案は、上記カード用コネクタ装置において、上記ケースは、上記カードの挿入方向と直交する方向における上記第２ストッパ部の位置と同じ位置を基端として、上記ケースの上記カード収容部内に突出形成され、上記第１カードの上記切り欠き部側に位置する上記段差部を案内するガイド部を備え、上記斜面部は、上記ガイド部の上記カード挿入口側に位置する端面を成すことを特徴としている。
【０００９】
このように構成した本考案は、第１カードが傾けられて挿入された場合には、第１カードの切欠き部側に位置する段差部の端部が、ケースに設けられたガイド部の端面を成す斜面部に当接し、この斜面部を含むガイド部によって、この第１カードの切り欠き部側に位置する段差部が案内される。したがって、この第１カードを、第１ストッパ部まで円滑に挿入させることができる。ガイド部は、ケースの成形時に同時に、容易に設けることができる。また、ガイド部の基端位置を、カードの挿入方向と直交する方向における第２ストッパ部の位置と同じ位置としたことから、装置の奥行き寸法に制約を受ける場合でも、第１ストッパ部に至るまでのガイド部の十分な長さ寸法を確保することが可能となり、このガイド部によって第１カードを安定した状態で第１ストッパ部まで案内することができる。
【００１０】
また、本考案は、上記カード用コネクタ装置において、上記第１カードの上記切り欠き部側に位置する段差部は、下面が上記ガイド部の上面と摺接する第１部分と、側面が上記ガイド部の側面と摺接する第２部分とから成り、上記第２ストッパ部の下端と上記ガイド部の上記上面の高さ位置を等しく設定したことを特徴としている。
【００１１】
このように構成した本考案は、挿入された第１カードを、この第１カードの切り欠き部側に位置する段差部を成す第１部分の下面がガイド部の上面に摺接し、段差部を成す第２部分の側面がガイド部の側面に摺接しながら、安定した状態でこの第１カードを第１ストッパ部まで案内することができる。また、第２ストッパ部の下端とガイド部の上面の高さ位置を同じに設定したことから、ガイド部の高さ寸法を第１カードの段差部の第２部分の高さ寸法とほぼ同じにして、ガイド部を第１カードの厚さ寸法内に含ませることができる。これにより、装置の高さ寸法に影響を与えることなく、ガイド部を設けることができる。
【考案の効果】
【００１２】
本考案は、互いに大きさの異なる第１カード、第２カードを選択的に挿入可能であるとともに、ケースに、第２カードの装着位置を決める第２ストッパ部よりも内側であって、第２ストッパ部よりも奥側位置に、カード挿入口から挿入された第１カードの切り欠き部側に位置する段差部の端部の摺接により、この第１カードを、この第１カードの装着位置を決める第１ストッパ部方向へ案内する斜面部を設けたことから、第１カードが傾けられて挿入された場合でも、傾きを斜面部で矯正しながら、第１カードを第２ストッパ部に係合することなく第１ストッパ部まで円滑に挿入させることかできる。これにより、カード挿入口から挿入した第１カードを、傾けられて挿入された場合でも装着位置に装着させて、この第１カードに対する信号の送受信を実現させることができ、信頼性の高い装置を得ることができる。
【考案を実施するための最良の形態】
【００１３】
以下，本考案に係るカード用コネクタ装置を実施するための最良の形態を図に基づいて説明する。
【００１４】
［本実施形態に使用されるカード］
図１は本考案に係るカード用コネクタ装置の一実施形態で使用される第１カードを示す図で、（ａ）図は平面図、（ｂ）図は側面図、（ｃ）図は裏面図、（ｄ）図は裏面側を示す斜視図、図２は本実施形態で使用される第２カードを示す図で、（ａ）図は平面図、（ｂ）図は側面図、（ｃ）図は裏面図、図３は本実施形態で使用される第３カードを示す図で、（ａ）図は平面図、（ｂ）図は裏面図である。
【００１５】
本実施形態に使用されるカードは、例えば三種類の互いに大きさの異なるカードであり、図１に示すように、第１カード１は、同図１の（ｃ）図に示すように、裏面の前端部１ｂ付近に、信号の送受信に活用される複数の接触部１ａを備えている。また、左右の側縁に、前端部１ｂから後端部１ｃにわたって延設される段差部１ｄ，１ｅと、前端部１ｂの一方の角部が斜めに切り欠かれた切り欠き部１ｆを備えている。
【００１６】
また、図２に示すように、第２カード２も、裏面の前端部２ａ付近に、信号の送受信に活用される複数の接触部２ｂを備えている。この第２カード２の幅寸法Ｗ２は、第１カード１の幅寸法Ｗ１よりも大きく設定され、この第２カードの厚さ寸法Ｔ２は、第１カード１の厚さ寸法Ｔ１よりも小さく設定され、この第２カード２の長さ寸法Ｌ２は、第１カード１の長さ寸法Ｌ１よりも小さく設定されている。すなわち、第２カード２は、第１カード１よりも幅広で肉薄、かつ長さが短くなっており、逆に第１カード１は、第２カード２よりも幅狭で肉厚、かつ長さが長くなっている。
【００１７】
また、図３に示すように、第３カード３も、裏面の前端部３ａ付近に、信号の送受信に活用される複数の接触部３ｂを備えている。
【００１８】
［本実施形態の構成］
図４は本実施形態に係るカード用コネクタ装置の構成を示す図で、（ａ）図は平面図、（ｂ）図はカバーを除いた状態を示す平面図、図５も本実施形態の構成を示す図で、（ａ）図は斜視図、（ｂ）図は要部を拡大して示した平面図、図６は本実施形態に備えられる第２ストッパ部及び斜面部と、本実施形態に使用される第１カードとの摺接関係を説明する図である。
【００１９】
図４に示すように、本実施形態は、例えば合成樹脂から成るハウジング５と、例えば金属板から成り、ハウジングの上部を覆うカバー７とによって構成されるケース４を備えている。このケース４の手前側位置に、前述した第１カード１、第２カード２、第３カード３のいずれかが選択的に挿入可能なカード挿入口６を設けてある。また、ケース４の内部には、同図４の（ｂ）図に示すように、カード挿入口６と連通する空間から成り、カード挿入口６から挿入された第１カード１、第２カード２、第３カード３のいずれかが収容されるカード収容部８を設けてある。
【００２０】
ハウジング５には、図４，５に示すように、第１カード１の接触部１ａと接触可能な複数の第１コンタクト端子９と、この第１コンタクト端子９よりもカード挿入口６側に配置され、第２カード２の接触部２ｂと接触可能な第２コンタクト端子１０と、第１コンタクト端子９よりも奥側に配置され、第３カード３の接触部３ｂと接触可能な第３コンタクト端子１１とを設けてある。これらの第１コンタクト端子９、第２コンタクト端子１０、及び第３コンタクト端子１１は、例えばインサート成形によってハンジング５に埋設させてある。
【００２１】
また、ハウジング５には、図５の（ａ）図に示すように、第１カード１の前端部１ｂに形成された切り欠き部１ｆが当接することにより、第１カード１のそれ以上の挿入を阻止し、この第１カード１の装着位置を決める第１ストッパ部１２と、図４，５に示すように、第２カード２の前端部２ａが当接することにより第２カード２のそれ以上の挿入を阻止し、この第２カード２の装着位置を決める第２ストッパ部１３と、第３カード３の前端部３ａが当接することにより、第３カード３のそれ以上の挿入を阻止し、この第３カード３の装着位置を決める第３ストッパ部１４とを設けてある。
【００２２】
さらに、このハウジング５には、図５等に示すように、第２ストッパ部１３よりも内側であって、第２ストッパ部１３よりも奥側位置に、カード挿入口６から挿入された第１カード１の切り欠き部１ｆ側に位置する段差部１ｄの図６に示す端部１ｄ３の摺接により、この第１カード１を第１ストッパ部１２方向へ案内する斜面部１６を設けてある。
【００２３】
また、ハウジング５は、図４〜６に示すように、カードの挿入方向と直交する方向における第２ストッパ部１３の位置と同じ位置を基端として、カード収容部８内に突出形成され、第１カード１の切り欠き部１ｆ側に位置する段差部１ｄを案内するガイド部１５を備えており、前述した斜面部１６は、ガイド部１５のカード挿入口６側に位置する端面を成している。
【００２４】
第１カード１の切り欠き部１ｆ側に位置する段差部１ｄは、図６に示すように、下面１ｄ１ａがガイド部１５の上面１５ａと摺接する第１部分１ｄ１と、側面１ｄ２ａがガイド部１５の側面１５ｂと摺接する第２部分１ｄ１とから成っている。前述した段差部１ｄの端部１ｄ３は、主に第２部分１ｄ２の端面によって構成されている。また、同図６に示すように、第２ストッパ部１３の下端とガイド部１５の上面１５ａの高さ位置を等しく設定してある。
【００２５】
［本実施形態のカード挿入動作］
図７は本実施形態に第１カードが挿入された状態を示す図で、（ａ）図は第１カードが装着位置に至る前の状態を示す平面図、（ｂ）図は第１カードが装着位置に保持された状態を示す平面図、図８は本実施形態に第２カードが挿入された状態を示す図で、（ａ）図は第２カードが装着位置に至る前の状態を示す平面図、（ｂ）図は第１カードが装着位置に保持された状態を示す平面図、図９は本実施形態に第３カードが挿入された状態を示す図で、（ａ）図は第３カードが装着位置に至る前の状態を示す平面図、（ｂ）図は第１カードが装着位置に保持された状態を示す平面図、図１０は本実施形態に第１カードが傾き気味に挿入された状態を示す平面図である。
【００２６】
図７に示すように、ケース４のカード挿入口６から第１カード１が傾けられることなく正しく挿入されると、この第１カード１の前端部１ｂの切り欠き部１ｆが、図５に示す第１ストッパ部１２に係合して、それ以上の挿入が阻止される。これにより、図７の（ｂ）図に示すように、第１カード１が装着位置に位置決めされ、この第１カード１の裏面の接触部１ａがハウジング５に埋設された第１コンタクト端子９に接触し、この第１カード１に対する信号の送受信が可能となる。
【００２７】
同様に、図８の（ａ）図に示すように、ケース４のカード挿入口６から第２カード２が挿入されると、この第２カード２の前端部２ａが第２ストッパ部１３に係合して、それ以上の挿入が阻止される。これにより図８の（ｂ）図に示すように、第２カード２が装着位置に位置決めされ、この第２カード２の裏面の接触部２ｂがハウジング５に埋設された第２コンタクト端子１０に接触し、この第２カード２に対する信号の送受信が可能となる。
【００２８】
同様に、図９の（ａ）図に示すように、ケース４のカード挿入口６から第３カード３が挿入されると、この第３カード３の前端部３ａが第３ストッパ部１４に係合して、それ以上の挿入が阻止される。これにより図９の（ｂ）図に示すように、第３カード３が装着位置に位置決めされ、この第３カード３の裏面の接触部３ｂがハウジング５に埋設された第３コンタクト端子１１に接触し、この第３カード３に対する信号の送受信が可能となる。
【００２９】
なお、説明を省略するが、第２カード２及び第３カード３は、ハウジング５に形成されたガイド部によって、傾くことなく挿入できるようになっている。これに対して、第１カード１と第２カード２の挿入経路は共通になっており、カード挿入口６からの第１カード１の挿入に際し、この第１カード１の側縁付近に、第２カード２の幅寸法Ｗ２と第１カード１の幅寸法Ｗ１との差に相当する空隙が形成される。したがって、この第１カード１の挿入時に、図１０に示すように、第１カード１が傾けられて挿入されることが起こり得る。
【００３０】
この図１０に示すように、第１カード１が傾けられて挿入された場合には、第１カード１の切り欠き部１ｆ側に位置する段差部１ｄの図６に示す端部１ｄ３が、第２カード２に係る第２ストッパ部１３に係合する前に、第２ストッパ部１３よりも内側に設けられた斜面部１６に当接し、この当接によって第１カード１は斜面部１６に沿うように移動しながら傾きを矯正され、この斜面部１６を含むガイド部１５によって第１ストッパ部１２まで円滑に挿入させることができる。すなわち、第１カード１を、この第１カード１の切り欠き部１ｆ側に位置する段差部１ｄを成す第１部分１ｄ１の下面１ｄ１ａがガイド部１５の上面１５ａに摺接し、段差部１ｄを成す第２部分１ｄ２の側面１ｄ２ａがガイド部１５の側面１５ｂに摺接しながら、安定した状態で第１カード１を第１ストッパ部１２まで案内することができる。
【００３１】
［本実施形態の効果］
本実施形態によれば、前述したように第１カード１を、この第１カード１の装着位置を決める第１ストッパ部１２方向へ案内する斜面部１６を設けたことから、図１０に示すように、第１カード１が傾けられて挿入された場合でも、その傾きを斜面部１６で矯正しながら、第１カード１を第２ストッパ部１３に係合することなく第１ストッパ部１２まで円滑に挿入させることができる。これにより、カード挿入口６から挿入した第１カード１を、傾けられて挿入された場合でも装着位置に装着させて、この第１カード１に対する信号の送受信を実現させることができ、信頼性の高い装置を得ることができる。
【００３２】
なお、斜面部１６を有するガイド部１５は、ケース４を構成するハウジング５の成形時に同時に、容易に設けることができる。
【００３３】
また、ガイド部１５の基端位置を、カードの挿入方向と直交する方向における第２ストッパ部１３の位置と同じ位置としたことから、装置の奥行き寸法に制約を受ける場合でも、第１ストッパ部１２に至るまでのガイド部１５の十分な長さ寸法を確保することが可能となり、このガイド部１５によって第１カード１を安定した状態で第１ストッパ部１２まで案内することができる。
【００３４】
さらに、第２ストッパ部１３の下端と、ガイド部１５の上面１５ａの高さ位置を同じに設定したことから、ガイド部１５の高さ寸法を第１カード１の段差部１ｄの第２部分１ｄ２の高さ寸法とほぼ同じにして第１カード１の厚さ寸法内に含ませることができる。これにより、装置の高さ寸法に影響を与えることなく、ガイド部１５を設けることができる。
【図面の簡単な説明】
【００３５】
【図１】本考案に係るカード用コネクタ装置の一実施形態で使用される第１カードを示す図で、（ａ）図は平面図、（ｂ）図は側面図、（ｃ）図は裏面図、（ｄ）図は裏面側を示す斜視図である。
【図２】本実施形態で使用される第２カードを示す図で、（ａ）図は平面図、（ｂ）図は側面図、（ｃ）図は裏面図である。
【図３】本実施形態で使用される第３カードを示す図で、（ａ）図は平面図、（ｂ）図は裏面図である。
【図４】本実施形態に係るカード用コネクタ装置の構成を示す図で、（ａ）図は平面図、（ｂ）図はカバーを除いた状態を示す平面図である。
【図５】本実施形態の構成を示す図で、（ａ）図は斜視図、（ｂ）図は要部を拡大して示した平面図である。
【図６】本実施形態に備えられる第２ストッパ部及び斜面部と、本実施形態に使用される第１カードとの摺接関係を説明する図である。
【図７】本実施形態に第１カードが挿入された状態を示す図で、（ａ）図は第１カードが装着位置に至る前の状態を示す平面図、（ｂ）図は第１カードが装着位置に保持された状態を示す平面図である。
【図８】本実施形態に第２カードが挿入された状態を示す図で、（ａ）図は第２カードが装着位置に至る前の状態を示す平面図、（ｂ）図は第１カードが装着位置に保持された状態を示す平面図である。
【図９】本実施形態に第３カードが挿入された状態を示す図で、（ａ）図は第３カードが装着位置に至る前の状態を示す平面図、（ｂ）図は第１カードが装着位置に保持された状態を示す平面図である。
【図１０】本実施形態に第１カードが傾き気味に挿入された状態を示す平面図である。
【符号の説明】
【００３６】
１    第１カード
１ａ  接触部
１ｂ  前端部
１ｃ  後端部
１ｄ  段差部
１ｄ１  第１部分
１ｄ１ａ  下面
１ｄ２  第２部分
１ｄ２ａ  側面
１ｄ３  端部
１ｅ  段差部
１ｆ  切り欠き部
２    第２カード
３    第３カード
４    ケース
５    ハウジング
６    カード挿入口
７    カバー
８    カード収容部
９    第１コンタクト端子
１０    第２コンタクト端子
１１    第３コンタクト端子
１２    第１ストッパ部
１３    第２ストッパ部
１４    第３ストッパ部
１５    ガイド部
１５ａ  上面
１５ｂ  側面
１６    斜面部
１６ａ  基端
【図１】
0003139871.tif 000003
【図２】
0003139871.tif 000004
【図３】
0003139871.tif 000005
【図４】
0003139871.tif 000006
【図５】
0003139871.tif 000007
【図６】
0003139871.tif 000008
【図７】
0003139871.tif 000009
【図８】
0003139871.tif 000010
【図９】
0003139871.tif 000011
【図１０】
0003139871.tif 000012